(57)【要約】【課題】  １台の遊技媒体貸出機で複数台の遊技機をコントロールできる遊技媒体貸出処理装置および遊技媒体貸出システムを提供する。【解決手段】  カード処理ユニット４０１の左右いずれかの遊技機３０１の遊技者が、貨幣またはカードをカード処理ユニット４０１に投入すると、カード処理ユニット４０１は、該貨幣または該カードが左右いずれの遊技者により投入されたものかを識別し、該識別結果により左右いずれの遊技機３０１の売上げかを分別し度数情報等を含む情報を島コントローラ２０１を介してターミナルコントローラ１０１に送信することで制御する。【選択図】  図１
2006000211.tif 000002
【特許請求の範囲】
【請求項１】
記録媒体若しくは貨幣の投入により遊技機に対する遊技媒体の貸出処理を制御する遊技媒体貸出処理装置において、
投入された貨幣を処理する貨幣処理手段と、
価値が関連付けられる記録媒体を処理する記録媒体処理手段と、
少なくとも２台の遊技機に接続され、前記記録媒体処理手段で処理された記録媒体若しくは前記貨幣処理手段で処理された貨幣に基づく遊技媒体の貸出処理を各遊技機別に制御する制御手段と
を具備することを特徴とする遊技媒体貸出処理装置。
【請求項２】
前記貨幣処理手段は、
第１の遊技機に対応する第１の紙幣挿入口と、
前記第１の紙幣挿入口と分離して形成され、第２の遊技機に対応する第２の紙幣挿入口と、
紙幣が前記第１の紙幣挿入口から投入されたか前記第２の紙幣挿入口から投入されたかを検出するセンサと、
前記第１の紙幣挿入口および前記第２の紙幣挿入口から投入された紙幣の識別を行う単一の紙幣識別手段と
を具備し、
前記制御手段は、
前記センサにより紙幣が前記第１の紙幣挿入口から投入されたと検出された場合は、前記紙幣識別手段で識別した紙幣に基づく遊技媒体の貸出処理を前記第１の遊技機に対して制御し、前記第２の紙幣挿入口から投入されたと検出された場合は、前記紙幣識別手段で識別した紙幣に基づく遊技媒体の貸出処理を前記第２の遊技機に対して制御する
ことを特徴とする請求項１記載の遊技媒体貸出処理装置。
【請求項３】
前記貨幣処理手段は、
紙幣挿入口と、
前記紙幣挿入口に対する紙幣の投入が第１の遊技機の遊技者によってなされたか第２の遊技機の遊技者によってなされたかを入力指示する入力指示手段と、
前記紙幣挿入口から投入された紙幣の識別を行う単一の紙幣識別手段と
を具備し、
前記制御手段は、
前記入力指示手段により紙幣が前記第１の遊技機の遊技者によってなされたと入力指示された場合は、前記紙幣識別手段で識別した紙幣に基づく遊技媒体の貸出処理を前記第１の遊技機に対して制御し、前記第２の遊技機の遊技者によってなされたと入力指示された場合は、前記紙幣識別手段で識別した紙幣に基づく遊技媒体の貸出処理を前記第２の遊技機に対して制御する
ことを特徴とする請求項１記載の遊技媒体貸出処理装置。
【請求項４】
前記記録媒体処理手段は、
第１の遊技機に対応する第１の記録媒体処理手段と、
第２の遊技機に対応する第２の記録媒体処理手段と
を具備し、
前記制御手段は、
前記第１の記録媒体処理手段で処理された記録媒体に基づく遊技媒体の貸出処理を前記第１の遊技機に対して制御し、前記第２の記録媒体処理手段で処理された記録媒体に基づく遊技媒体の貸出処理を前記第２の遊技機に対して制御する
ことを特徴とする請求項１記載の遊技媒体貸出処理装置。
【請求項５】
前記制御手段は、
管理装置と通信する通信手段
を更に具備し、
前記通信手段は、
前記貨幣処理手段で処理された貨幣処理情報および前記記録媒体処理手段で処理された記録媒体情報を各遊技機別に分別して前記管理装置に通知する
ことを特徴とする請求項１記載の遊技媒体貸出処理装置。
【請求項６】
遊技者が遊技媒体を用いた遊技を行うための遊技機と、該遊技機で遊技を行うための遊技媒体を貸出す遊技媒体貸出処理装置と、該遊技媒体貸出処理装置で貸出した遊技媒体に応じた貨幣処理情報および記録媒体処理情報を保存管理する管理装置とを有する遊技媒体貸出システムにおいて、
前記遊技媒体貸出処理装置は、
投入された貨幣を処理する貨幣処理手段と、
価値が関連付けられる記録媒体を処理する記録媒体処理手段と、
少なくとも２台の遊技機に接続され、前記記録媒体処理手段で処理された記録媒体若しくは前記貨幣処理手段で処理された貨幣に基づく遊技媒体の貸出処理を各遊技機別に制御する制御手段と、
前記貨幣処理手段で処理された貨幣処理情報および前記記録媒体処理手段で処理された記録媒体情報を各遊技機別に分別して前記管理装置に通知する通信手段と
を具備し、
前記管理装置は、
前記通信手段により前記各遊技機別に分別して通知された貨幣処理情報および記録媒体処理情報を各遊技機別に保存管理する
ことを特徴とする遊技媒体貸出システム。
【発明の詳細な説明】
【技術分野】
【０００１】
本発明は、パチンコ、スロットマシンなどの遊技機が設置された遊技店において、各遊技機の台間に配設されてパチンコ玉などの遊技媒体を各種カードや現金の投入によって貸し出す遊技媒体貸出処理装置および遊技媒体貸出システムに係わり、詳しくは、１台の遊技媒体貸出機で複数台の遊技機をコントロールできる遊技媒体貸出処理装置および遊技媒体貸出システムに関する。
【背景技術】
【０００２】
従来、パチンコ玉やメダル等の遊技媒体を遊技機に投入して遊技を行うパチンコ台やスロットマシンなどの遊技機が知られている。遊技者がパチンコ台を用いてパチンコ遊技を行う際には、予めパチンコ台の台間に配設された貸出機からパチンコ玉を借り受ける必要がある。
【０００３】
パチンコ玉を貸し出す従来の貸出技術には、貸出機に投入した硬貨または紙幣に相当するパチンコ玉を貸し出す技術、プリペイドカード、貯玉カードまたは会員カードを貸出機に挿入し、遊技者が投出ボタンを押下する度に、例えば、５００円分のパチンコ玉を貸し出す技術などがある。
【０００４】
特に、後者のプリペイドカードによる方式では、遊技客にプリペイドカードを発行すれば、遊技客がプリペイドカードを台間に配設された貸出機に挿入し、所定の操作を行うと、玉が貸し出される。プリペイドカードにはカード毎に設定される識別符号（カードＩＤ）が記録されており、識別符号毎の残度数が管理装置に記録されており、カードが使用されると管理装置の残度数が書き換えられる。
【０００５】
また、プリペイドカードによる方式では、貸出機において複数種類のカードに対して略同様の処理を行い、パチンコ玉などの遊技媒体を遊技者に貸し出す必要がある。この種の貸出機に関する技術としては、特許文献１の「遊技媒体貸出装置および遊技媒体貸出システム」が知られている。
【０００６】
この特許文献１の発明は、複数の異なる種類のカードの読取りおよび所要の処理を１台の装置で実現することで、スペース的、コスト的な問題を解消し、操作性および遊技者の利便性を向上させるというものである。
【特許文献１】特開２００２−３０１２６０
【発明の開示】
【発明が解決しようとする課題】
【０００７】
しかしながら、従来の遊技媒体貸出システムは、遊技機１台に対して必ず遊技媒体貸出機が一台必要なため、
（１）カードシステムを導入する際のコストが高額になってしまい、遊技店の負担が大きくなってしまう。
【０００８】
（２）遊技媒体貸出機を設置するスペースが多く必要となるため、遊技機の設置できるスペースが少なくなり、遊技機の設置できる台数が限られてしまう。
【０００９】
（３）遊技媒体貸出機には配線や紙幣受け渡し機構などが必要であり、また、これらの部位は遊技機の台数が多くなればその分多く必要になりコストがかさんでしまう。
【００１０】
等の問題点があった。
【００１１】
本発明は上記問題点に鑑みてなされたものであり、１台の遊技媒体貸出機で複数台の遊技機をコントロールすることで、省スペースかつ、コスト削減を図ることができる遊技媒体貸出処理装置および遊技媒体貸出システムを提供することを目的とする。
【課題を解決するための手段】
【００１２】
上記目的を達成するため、請求項１の発明は、記録媒体若しくは貨幣の投入により遊技機に対する遊技媒体の貸出処理を制御する遊技媒体貸出処理装置において、投入された貨幣を処理する貨幣処理手段と、価値が関連付けられる記録媒体を処理する記録媒体処理手段と、少なくとも２台の遊技機に接続され、前記記録媒体処理手段で処理された記録媒体若しくは前記貨幣処理手段で処理された貨幣に基づく遊技媒体の貸出処理を各遊技機別に制御する制御手段とを具備することを特徴とする。
【００１３】
また、請求項２の発明は、請求項１の発明において、前記貨幣処理手段は、第１の遊技機に対応する第１の紙幣挿入口と、前記第１の紙幣挿入口と分離して形成され、第２の遊技機に対応する第２の紙幣挿入口と、紙幣が前記第１の紙幣挿入口から投入されたか前記第２の紙幣挿入口から投入されたかを検出するセンサと、前記第１の紙幣挿入口および前記第２の紙幣挿入口から投入された紙幣の識別を行う単一の紙幣識別手段とを具備し、前記制御手段は、前記センサにより紙幣が前記第１の紙幣挿入口から投入されたと検出された場合は、前記紙幣識別手段で識別した紙幣に基づく遊技媒体の貸出処理を前記第１の遊技機に対して制御し、前記第２の紙幣挿入口から投入されたと検出された場合は、前記紙幣識別手段で識別した紙幣に基づく遊技媒体の貸出処理を前記第２の遊技機に対して制御することを特徴とする。
【００１４】
また、請求項３の発明は、請求項１の発明において、前記貨幣処理手段は、紙幣挿入口と、前記紙幣挿入口に対する紙幣の投入が第１の遊技機の遊技者によってなされたか第２の遊技機の遊技者によってなされたかを入力指示する入力指示手段と、前記紙幣挿入口から投入された紙幣の識別を行う単一の紙幣識別手段とを具備し、前記制御手段は、前記入力指示手段により紙幣が前記第１の遊技機の遊技者によってなされたと入力指示された場合は、前記紙幣識別手段で識別した紙幣に基づく遊技媒体の貸出処理を前記第１の遊技機に対して制御し、前記第２の遊技機の遊技者によってなされたと入力指示された場合は、前記紙幣識別手段で識別した紙幣に基づく遊技媒体の貸出処理を前記第２の遊技機に対して制御することを特徴とする。
【００１５】
また、請求項４の発明は、請求項１の発明において、前記記録媒体処理手段は、第１の遊技機に対応する第１の記録媒体処理手段と、第２の遊技機に対応する第２の記録媒体処理手段とを具備し、前記制御手段は、前記第１の記録媒体処理手段で処理された記録媒体に基づく遊技媒体の貸出処理を前記第１の遊技機に対して制御し、前記第２の記録媒体処理手段で処理された記録媒体に基づく遊技媒体の貸出処理を前記第２の遊技機に対して制御することを特徴とする。
【００１６】
また、請求項５の発明は、請求項１の発明において、前記制御手段は、管理装置と通信する通信手段を更に具備し、前記通信手段は、前記貨幣処理手段で処理された貨幣処理情報および前記記録媒体処理手段で処理された記録媒体情報を各遊技機別に分別して前記管理装置に通知することを特徴とする。
【００１７】
また、請求項６の発明は、遊技者が遊技媒体を用いた遊技を行うための遊技機と、該遊技機で遊技を行うための遊技媒体を貸出す遊技媒体貸出処理装置と、該遊技媒体貸出処理装置で貸出した遊技媒体に応じた貨幣処理情報および記録媒体処理情報を保存管理する管理装置とを有する遊技媒体貸出システムにおいて、前記遊技媒体貸出処理装置は、投入された貨幣を処理する貨幣処理手段と、価値が関連付けられる記録媒体を処理する記録媒体処理手段と、少なくとも２台の遊技機に接続され、前記記録媒体処理手段で処理された記録媒体若しくは前記貨幣処理手段で処理された貨幣に基づく遊技媒体の貸出処理を各遊技機別に制御する制御手段と、前記貨幣処理手段で処理された貨幣処理情報および前記記録媒体処理手段で処理された記録媒体情報を各遊技機別に分別して前記管理装置に通知する通信手段とを具備し、前記管理装置は、前記通信手段により前記各遊技機別に分別して通知された貨幣処理情報および記録媒体処理情報を各遊技機別に保存管理することを特徴とする。
【発明の効果】
【００１８】
本発明によれば、１台の遊技媒体貸出処理装置により複数台の遊技機をコントロールできるよう構成したので、遊技機と遊技機の台間に配設される遊技媒体貸出処理装置の台数を抑えることが可能になり、遊技媒体貸出処理装置を配設するスペースを抑えることができる。
【００１９】
さらに、遊技媒体貸出処理装置の台数を抑えることにより、従来、別途用意する必要があったデバイス等（紙幣読取り部、配線など）を共通化することが可能になり、コストの削減も図ることができる。
【発明を実施するための最良の形態】
【００２０】
以下、この発明に係わる遊技媒体貸出処理装置および遊技媒体貸出システムの実施形態について添付図面を参照して詳細に説明する。
【００２１】
なお、本実施の形態では、主として本発明をパチンコ遊技に適用した場合を示すこととする。
【００２２】
図１は、本発明に係わる遊技システムの全体構成を示すブロック図である。
【００２３】
この遊技システムは、「島（５０１）」と呼ばれるグループごとに複数の遊技機３０１を配設している。また、各遊技機３０１には、遊技媒体であるパチンコ玉を貸し出す処理を行うカード処理ユニット（遊技媒体貸出処理装置）４０１が配設されている。
【００２４】
本発明の要部であるカード処理ユニット４０１は、遊技機３０１と遊技機３０１との間（台間）に配設される。１台のカード処理ユニット４０１に対して複数台の遊技機３０１が接続されており（同図では１台のカード処理ユニット４０１に対して２台の遊技機３０１が接続されている）、遊技機３０１が備える玉投出機構と連携してパチンコ玉の貸し出しを行う。
【００２５】
カード処理ユニット４０１の前面パネルには、紙幣投入口、カード挿入口、金額表示部などが設けられており、遊技機３０１には、度数表示部、貸出ボタンなどが設けられている。
【００２６】
遊技者は、予め、カード処理ユニット４０１にプリペイドカードや会員カードなどの記録媒体（場合によっては、さらに現金）を投入するとともに、必要に応じて貸出単位（１回の貸出操作により貸し出される度数）を設定しておく。
【００２７】
遊技者が貸出ボタンを操作すると、玉投出機構が作動し、遊技機３０１の上皿へと貸出単位分のパチンコ玉が投出される。この投出代金は、カードの識別データに対応してあらかじめ登録されている度数から減算されることにより精算される。
【００２８】
カード処理ユニット４０１にプリペイドカードあるいは会員カードが装填された状態で、貨幣が直接投入された場合には、貨幣を受け入れて、プリペイドカードあるいは会員カードに価値を追加することも可能である。遊技者は、このようにして貸し出された玉を用いて、遊技機３０１において遊技を行う。
【００２９】
島５０１の端部には、図示しない島端金庫が設置されており、カード処理ユニット４０１に投入された現金は、遊技者の目に触れないように遊技機３０１等の背面側に設置された図示しない搬送機構によって回収され、この島端金庫へと収容される。この他、ホール内には、カードを管理するためのカード発行機、カード精算機が適宜設けられている。
【００３０】
管理装置としてのターミナルコントローラ１０１は、島５０１を管理する島コントローラ２０１に接続されており、この遊技システムの統括制御を行う。
【００３１】
ターミナルコントローラ１０１は、各遊技機３０１の売上情報を含む情報を売上情報データデース１０２で管理し、各カードの度数情報（有価価値）を含む情報をカード情報データベース１０３で管理している。また、上記売上情報データベース１０２および上記カード情報データベース１０３で管理しているカード毎の入金情報や使用情報を集計し、出力（画面表示、プリントアウト等）を行うことができる。カード処理ユニット４０１にプリペイドカードあるいは会員カードが挿入されたならば、このカード内の識別データが島コントローラ２０１を介してターミナルコントローラ１０１に転送され、該ターミナルコントローラ１０１から識別データに対応する価値データ（残度数：有価価値）がカード処理ユニット４０１に返送される。
【実施例１】
【００３２】
ここで、図１に示すような基本構成を有する遊技システムにおける、第１の実施例について説明する。
【００３３】
図２は、第１の実施例で用いる遊技機３０１およびカード処理ユニット４０１の内部構成を示すブロック図である。
【００３４】
同図には、カード処理ユニット４０１、該カード処理ユニット４０１にそれぞれ接続される左側遊技機３０１−１、右側遊技機３０１−２が図示されており、左側遊技機３０１−１と右側遊技機３０１−２は、カード処理ユニット４０１に接続されるにあたって、その左側に位置するか右側に位置するかの違いのみであり、異機種の場合には動作的な相違は多少あるものの、その他の点においては略同一の機能を有する遊技機３０１である。
【００３５】
カード処理ユニット４０１は、上述した各種カードまたは現金の投入を受け付け、これを処理するためのユニットである。先に述べたとおり、この遊技システムにおける遊技媒体（パチンコ玉）の貸出は、主にこのカード処理ユニット４０１と、遊技機３０１が備える玉投出機構３０４とが連携することで実現される。
【００３６】
カード処理ユニット４０１は、紙幣識別部４０２、カード処理部４０３、制御部４０６、電源部４０７、通信部４０８、メモリ４１３を具備して構成されており、ここでは、本発明に係わる構成要素のみを挙げて説明する。
【００３７】
紙幣識別部４０２は、左側遊技機３０１−１の遊技者若しくは右側遊技機３０１−２の遊技者のいずれが、パチンコ玉を借り受けるためにカード処理ユニット４０１に紙幣を投入したのかを識別する処理部である。詳しくは後述するが、ここで、左側遊技機３０１−１の遊技者が紙幣を投入したのか、右側遊技機３０１−２の遊技者が紙幣を投入したのかを識別することで、遊技機３０１毎の売上状況、使用状況等の情報を管理することができる。
【００３８】
カード処理部４０３は、遊技者により挿入されるプリペイドカードあるいは会員カードを受けつけるための処理部であり、左側処理部４０４および右側処理部４０５を具備して構成される。左側処理部４０４は、カード処理ユニット４０１の左側に位置する左側遊技機３０１−１の遊技者により挿入されたカードに対しての処理を行い、同様に右側処理部４０５は、右側遊技機３０１−２の遊技者により挿入されたカードに対しての処理を行う。
【００３９】
制御部４０６は、カード処理ユニット４０１を統括制御する。例えば、上記紙幣識別部４０２において、右側遊技機３０１−２の遊技者から紙幣が挿入されたと認識すると、制御部４０６はその識別情報に基づいて左側遊技機３０１−１の遊技者と右側遊技機３０１−２の遊技者とを分別した状態で、後述する通信部４０８および島コントローラ２０１を介してターミナルコンピュータ１０１にて管理される売上情報データベース１０２のうち右側遊技機３０１−２の売上情報に更新を行う。また、遊技機３０１側から玉貸要求（後述する玉貸ボタンの押下）があれば、当該遊技機３０１の玉投出機構に貸玉の投出を指示する。
【００４０】
電源部４０７は、カード処理ユニット４０１全体に電源供給を行う処理部であり、通信部４０８は、カード処理ユニット４０１が左側遊技機３０１−１および右側遊技機３０１−２および島コントローラ２０１と通信するためのインターフェース装置である。
【００４１】
メモリ４１３は、各種情報を一時的に記憶する機能を有し、左側および右側の遊技機３０１の識別情報（遊技機ＩＤ）に対応して、カード処理部（左側処理部４０４および右側処理部４０５）４０３に挿入されているカードの識別符号（カードＩＤ）と、各カードに関連付けられている残度数が記憶される。以上がカード処理ユニット４０１の内部構成を示す各機能ブロック図の説明である。
【００４２】
次に、左側遊技機３０１−１の概略構成について説明する。なお、先に述べたように左側遊技機３０１−１および右側遊技機３０１−２は同等の機能を有する遊技機３０１である。
【００４３】
遊技機３０１は、各種処理機能部として、カード処理ユニット４０１と通信を行う遊技機通信部３０２、遊技機３０１を統括制御する遊技機制御部３０３、カード処理ユニット４０１と連携して動作する玉投出機構３０４、プリペイドカードの残度数などを表示する表示部３０５、玉貸ボタンおよびカード返却ボタン等が配設される操作部３０６を具備して構成される。
【００４４】
以上が本発明に係わるカード処理ユニット４０１および遊技機３０１の内部構成であり、同図に示されるように、カード処理ユニット４０１内部に紙幣識別部４０２およびカード処理部４０３（左側処理部４０４および右側処理部４０５を具備する）を設けることにより、１台のカード処理ユニット４０１で複数台（同図では２台）の遊技機３０１のコントロールが可能になる。
【００４５】
次に、図３を参照しながらカード処理ユニット４０１の外観を説明する。
【００４６】
同図には、上記図２で説明したカード処理ユニット４０１の前面部の一例を示す外観が図示されており、紙幣識別部４０２、カード処理部４０３を具備して構成される。また、このカード処理ユニット４０１の前面部には、状態表示ランプ、金額表示部、金額設定ボタン・・・などが配設されるが、本発明の要部ではないため説明は省略する。
【００４７】
紙幣識別部４０２は、左側紙幣挿入口４０２−Ａおよび右側紙幣挿入口４０２−Ｂを具備して構成されており、この左側紙幣挿入口４０２−Ａと右側紙幣挿入口４０２−Ｂは規制部材でそれぞれ分離されている。左側紙幣挿入口４０２−Ａは、左側遊技機３０１−１の遊技者が紙幣を挿入するための紙幣挿入口であり、右側紙幣挿入口４０２−Ｂは、右側遊技機３０１−２の遊技者が紙幣を挿入するための紙幣挿入口である。
【００４８】
カード処理部４０３は、上述したとおり、左側処理部４０４および右側処理部４０５を具備して構成されており、左側処理部４０４は、左側遊技機３０１−１の遊技者がカードを挿入するためのカード処理部であり、右側処理部４０５は、右側遊技機３０１−２の遊技者がカードを挿入するためのカード処理部である。
【００４９】
ここで、上記紙幣識別部４０２の水平断面図を図４に示す。
【００５０】
同図には、紙幣識別部４０２を上部から見た図が示されており、上記図３で説明した左側紙幣挿入口４０２−Ａには左側から紙幣（この例では、千円）が挿入されたことを検出するための左側紙幣挿入センサが設置されており、右側紙幣挿入口４０２−Ｂにも同様の右側紙幣挿入センサが設置されている。
【００５１】
すなわち、この左側紙幣挿入センサおよび右側紙幣挿入センサによりいずれの紙幣挿入口から紙幣が挿入されたのかを検出することで、カード処理ユニット４０１の左側に位置する左側遊技機３０１−１の遊技者が挿入した紙幣なのか、カード処理ユニット４０１の右側に位置する右側遊技機３０１−２の遊技者が挿入した紙幣なのかの判断を行っている。
【００５２】
また、左右紙幣挿入センサのさらに奥側に位置する紙幣合流部分には揺動自在に支持される揺動部材が配設されており、この揺動部材は挿入される紙幣によって押し動かされた位置で止まる（例えば、同図では、左側紙幣挿入口４０２−Ａから紙幣が挿入された時の揺動位置で静止している）。識別不良等により紙幣が返却される際に、該紙幣を投入された側の紙幣挿入口に案内する為の部材である。
【００５３】
左右いずれかの紙幣挿入口から挿入された紙幣は、揺動部材が配設される位置で合流し内部に備わる搬送機構により単一の紙幣識別部４０２本体内へと搬送される。該紙幣識別部４０２によって識別された紙幣は後方の紙幣搬送装置へと送り込まれる。
【００５４】
図５は、図２に示したカード処理ユニット４０１における紙幣読取り処理の動作を説明するフローチャートである。なお、この処理は、遊技者がカード処理ユニット４０１に紙幣を挿入し、遊技を楽しむ場合のカード処理ユニット４０１における動作を説明するものである。
【００５５】
１０００円札などの紙幣がカード処理ユニット４０１の左側紙幣挿入口４０２−Ａ若しくは右側紙幣挿入口４０２−Ｂのいずれかに挿入されると、この紙幣読取り処理は開始される（ステップＳ１０１）。
【００５６】
ここで、左右いずれかの紙幣挿入口に紙幣が挿入されると（ステップＳ１０１でＹＥＳ）、まず、挿入された紙幣が左側紙幣挿入口４０２−Ａ若しくは右側紙幣挿入口４０２−Ｂのいずれから挿入されたかの検出を行う（ステップＳ１０２）。
【００５７】
すなわち、上記図４で示したようにカード処理ユニット４０１の紙幣識別部４０２には、紙幣が左側の挿入口から挿入されたのか、右側の挿入口から挿入されたのかを検出するために、それぞれ左側紙幣挿入センサおよび右側紙幣挿入センサが設置されており、該センサで検出した結果に基づいて制御部４０６でいずれの紙幣挿入口から紙幣が挿入されたのかを判断する。
【００５８】
紙幣が左側紙幣挿入口４０２−Ａから挿入されたと判断された場合は（ステップＳ１０２で左側）、紙幣挿入口情報に左側を設定し（ステップＳ１０３）、紙幣が右側紙幣挿入口４０２−Ｂから挿入されたと判断された場合は（ステップＳ１０２で右側）、紙幣挿入口情報に右側を設定する（ステップＳ１０４）。
【００５９】
次に、挿入された紙幣のチェック処理を行う（ステップＳ１０５）。すなわち、偽札か否かのチェックおよび紙幣を正しく認識できるか等のチェックである。
【００６０】
ここで、ステップＳ１０５の紙幣チェック処理にて、挿入された紙幣に何らかの異常があると判断した場合は（ステップＳ１０６でＹＥＳ）、紙幣を排出する（ステップＳ１０８）。紙幣識別部４０２本体から送り出される紙幣は、揺動部材によって、投球された側の紙幣挿入口へ案内される。この時、遊技機３０１の前面部に設置される表示部３０５に、挿入された紙幣に異常がある旨を表示するなどして遊技者に報知する。
【００６１】
また、紙幣に異常がない場合は（ステップＳ１０６でＮＯ）、該紙幣が左側紙幣挿入口４０２−Ａ若しくは、右側紙幣挿入口４０２−Ｂのいずれから挿入されたのかを判断する（ステップＳ１０７）。すなわち、上述した処理で設定された紙幣挿入口情報に基づいて制御部４０６が判断する。
【００６２】
紙幣が左側紙幣挿入口４０２−Ａから挿入されたと判断された場合は（ステップＳ１０７で左側）、カード処理ユニット４０１の左側に位置する遊技機３０１の表示部３０５に挿入された紙幣の金額に相当する度数情報を表示し（ステップＳ１０９）、紙幣が右側紙幣挿入口４０２−Ｂから挿入されたと判断された場合は（ステップＳ１０７で右側）、カード処理ユニット４０１の右側に位置する遊技機３０１の表示部３０５に挿入された紙幣の金額に相当する度数情報を表示する（ステップＳ１１０）。
【００６３】
そして、カード処理ユニット４０１へ挿入された紙幣に相当する紙幣情報（度数情報）と、遊技機３０１にそれぞれ割り当てられた台番号などの遊技機識別情報を含む情報を島コントローラ２０１を介しターミナルコントローラ１０１へ送信する（ステップＳ１１１）。
【００６４】
すなわち、ターミナルコントローラ１０１は、各遊技機３０１の売上げ情報を売上情報データベース１０２で管理しており、カード処理ユニット４０１は、売上げ情報を更新するために、ターミナルコントローラ１０１へ紙幣情報および遊技機識別情報を含む情報を送信する。そして、この処理が終わると、この紙幣読取り処理は終了する。
【００６５】
例えば、左側の紙幣挿入口４０２−Ａから紙幣が挿入され、識別後、左側の遊技機３０１−１の表示部３０５−１に度数情報が表示された状態で、左側遊技機３０１−１の貸出ボタンが押下されると、該遊技機は、押下された旨の信号（貸出要求）をカード処理ユニット４０１の制御部４０６へと送信する。カード処理ユニット４０１の制御部４０６は、左側遊技機３０１−１の玉投出機構３０４−１に対して所定数の貸出を投出するように指示を与える。
【００６６】
以上説明したように本実施例においては、紙幣識別部４０２に左側紙幣挿入口４０２−Ａおよび右側紙幣挿入口４０２−Ｂを設け、それぞれに紙幣挿入センサを設置することで、左右共通の紙幣識別部４０２により左側遊技機３０１−１および右側遊技機３０１−２で遊技するために挿入される紙幣の読取り処理を行えるので、省スペースかつコスト削減を図ることが可能になる。
【００６７】
また、カード処理ユニット４０１は、左側紙幣挿入口４０２−Ａ若しくは右側紙幣挿入口４０２−Ｂのいずれから紙幣が挿入されたのかを認識し、該認識により左右いずれの遊技機３０１の売上げかを分別し、ターミナルコントローラ１０１へ度数情報を送信する。このように制御することで、ターミナルコントローラ１０１においても、従来同様に個々の遊技機毎の売上げ情報等を正確に管理することができる。
【００６８】
図６は、図２に示したカード処理ユニット４０１におけるカード読取り処理の動作を説明するフローチャートである。なお、この処理は、遊技者がカード処理ユニット４０１にカードを挿入し、遊技を楽しむ場合のカード処理ユニット４０１における動作を説明するものである。
【００６９】
プリペイドカードまたは、会員カード等がカード処理ユニット４０１の左側カード挿入口（左側処理部４０４）若しくは右側カード挿入口（右側処理部４０５）のいずれかに挿入されると、このカード読取り処理は開始される（ステップＳ２０１）。
【００７０】
ここで、左右いずれかのカード挿入口にカードが挿入されると（ステップＳ２０１でＹＥＳ）、まず、挿入されたカードのチェック処理を行う（ステップＳ２０２）。すなわち、当該遊技場において使用可能なカードであるか否かのチェックおよびカードが有するデータに破損がないか等のチェックである。
【００７１】
ここで、ステップＳ２０２のカード情報チェック処理にて、挿入されたカードに何らかの異常があると判断した場合は（ステップＳ２０３でＹＥＳ）、カードを排出し（ステップＳ２０５）、遊技機３０１の前面部に設置される表示部３０５に、挿入されたカードに異常がある旨を表示するなどして遊技者に報知する。
【００７２】
また、カード情報に異常がない場合は（ステップＳ２０３でＮＯ）、該カードが左側カード挿入口若しくは、右側カード挿入口のいずれから挿入されたのかを判断する（ステップＳ２０４）。すなわち、カード処理部４０３は、左側カード挿入口を有する左側処理部４０４および右側カード挿入口を有する右側処理部４０５の二つの処理部からなり、挿入されたカードに対する（ステップＳ２０３以前の）処理がどちらの処理部で行われたものかを制御部４０６が判断する。
【００７３】
カードが左側カード挿入口から挿入されたと判断された場合は（ステップＳ２０４で左側）、カード処理部情報に左側を設定し（ステップＳ２０６）、カードが右側カード挿入口から挿入されたと判断された場合は（ステップＳ２０４で右側）、カード処理部情報に右側を設定する（ステップＳ２０７）。
【００７４】
次に、カード処理ユニット４０１へ挿入されたカードが有するカード識別情報を含む情報を島コントローラ２０１を介しターミナルコントローラ１０１へ送信する（ステップＳ２０８）。
【００７５】
すなわち、ターミナルコントローラ１０１は、各カードに記録された識別データに対応する残度数をカード情報データベース１０３で管理しており、カード処理ユニット４０１は、挿入されたカードが有する残度数情報を得るために、ターミナルコントローラ１０１へカード識別情報を含む情報を送信する。
【００７６】
そして、ターミナルコントローラ１０１から、挿入されたカードと対応する残度数情報を受信し（ステップＳ２０９）、上述した処理で設定されたカード処理部情報に基づいて受信した情報に応じた処理を、カード処理ユニット４０１の左側若しくは右側に接続される遊技機３０１に対して行う（ステップＳ２１０）。
【００７７】
ここで、カード処理部情報に左側が設定されている場合は（ステップＳ２１０で左側）、受信した残度数情報を左側遊技機３０１−１に関連付けてメモリ４１３に記憶し（ステップＳ２１１）、左側遊技機３０１−１の表示部３０５−１に該残度数情報を表示する（ステップＳ２１２）。一方、カード処理部情報に右側が設定されている場合は（ステップＳ２１０で右側）、受信した残度数情報を右側遊技機３０１−２に関連付けてメモリ４１３に記憶し（ステップＳ２１３）、右側遊技機３０１−２の表示部３０５−２に該残度数情報を表示する（ステップＳ２１４）。そして、このカード読取り処理は終了する。
【００７８】
例えば、左側の紙幣挿入口４０２−Ａからカードが挿入され、識別後、左側の遊技機３０１−１の表示部３０５−１に度数情報が表示された状態で、左側遊技機３０１−１の貸出ボタンが押下されると、該遊技機は、押下された旨の信号（貸出要求）をカード処理ユニット４０１の制御部４０６へと送信する。カード処理ユニット４０１の制御部４０６は、メモリ４１３に左側遊技機３０１−１と対応して記憶された残度数情報の減算を行うとともに、左側遊技機３０１−１の玉投出機構３０４−１に対して所定数の貸出を投出するように指示を与える。また、減算された残度数情報を左側遊技機３０１−１の表示部３０５−１に更新表示する。
【００７９】
図７は、図２に示したカード処理ユニット４０１におけるカード返却処理の動作を説明するフローチャートである。なお、この処理は、遊技者がカード処理ユニット４０１にカードを挿入し、遊技を楽しむ場合のカード処理ユニット４０１における動作を説明するものである。
【００８０】
遊技機３０１の前面部に配設されるカード返却ボタンを遊技者が押下することにより、このカード返却処理は開始される（ステップＳ３０１）。また、カード処理ユニット４０１に挿入されているカードの残度数が０になった場合に、カードが排出され遊技者に返却される（中にはそのままカード処理ユニット４０１に取り込まれるものもある）。そういった場合にもこのカード返却処理が開始される。
【００８１】
まず、左右いずれの遊技機３０１のカード返却ボタンが押下されたのかを判断する（ステップＳ３０２）。
【００８２】
ここで、左側遊技機３０１−１の遊技者がカード返却ボタンを押下した場合は（ステップＳ３０２で左側）、カード処理部情報に左側を設定し（ステップＳ３０３）、右側遊技機３０１−２の遊技者がカード返却ボタンを押下した場合は（ステップＳ３０２で右側）、カード処理部情報に右側を設定する（ステップＳ３０４）。
【００８３】
次に、カード処理ユニット４０１へ挿入されたカードが有するカード識別情報と、遊技機３０１にそれぞれ割り当てられた台番号などの遊技機識別情報と、メモリ４１３から呼び出される残度数情報を含む情報を島コントローラ２０１を介しターミナルコントローラ１０１へ送信する（ステップＳ３０５）。
【００８４】
すなわち、ターミナルコントローラ１０１は、各カードに記録された識別データに対応する残度数をカード情報データベース１０３で管理しており、カード処理ユニット４０１は、挿入されたカードが有する残度数情報を更新するために、ターミナルコントローラ１０１へカード識別情報および残度数情報を含む情報を送信する。また、ターミナルコントローラ１０１は、各遊技機３０１の売上げ情報を売上情報データベース１０２で管理しており、カード処理ユニット４０１は、売上げ情報を更新するために、ターミナルコントローラ１０１へ残度数情報および遊技機識別情報を含む情報を送信する。
【００８５】
そして、ターミナルコントローラ１０１から、挿入されているカードに対応する残度数情報が正確に更新された旨の通知を受信し（ステップＳ３０６）、上述した処理で設定されたカード処理部情報に基づいて、カード排出処理を行う（ステップＳ３０７）。
【００８６】
ここで、カード処理部情報に左側が設定されている場合は（ステップＳ３０７で左側）、左側処理部４０４からカードを排出し（ステップＳ３０８）、カード処理部情報に右側が設定されている場合は（ステップＳ３０７で右側）、右側処理部４０５からカードを排出し（ステップＳ３０９）、このカード返却処理は終了する。
【００８７】
以上説明したように本発明においては、カード処理部４０３として左側処理部４０４および右側処理部４０５を設けたので、１台のカード処理ユニット４０１で左側遊技機３０１−１および右側遊技機３０１−２で遊技するために挿入されるカードの読取り処理を行える。
【００８８】
また、カード処理ユニット４０１は、左側処理部４０４若しくは右側処理部４０５のいずれに挿入されたカードに対して処理を行っているのかを認識し、該認識により左右いずれの遊技機３０１の売上げかを分別し、ターミナルコントローラ１０１へ度数情報を送信する。このように制御することで、ターミナルコントローラ１０１においても、従来同様に個々の遊技機毎の売上げ情報等を正確に管理することができる。同様にカード残度数についても正確に管理することができる。
【００８９】
なお、上記で説明した実施例においては、紙幣識別部４０２を設けることにより、左側遊技機３０１−１および右側遊技機３０１−２の双方に対して１台のカード処理ユニット４０１で制御するよう構成したが、硬貨に対しても硬貨識別部を設けることにより、紙幣に対する処理と同様に制御することができる。
【００９０】
また、上記で説明した実施例においては、カード処理ユニット４０１内部に紙幣識別部４０２を具備して構成されたカード処理ユニット４０１について説明したが、紙幣識別部４０２を別筐体に実装することにより、遊技機３０１またはカード処理ユニット４０１の上部などに設置し構成するようにしてもよい。
【実施例２】
【００９１】
次に、図１に示すような基本構成を有する遊技システムにおける、第２の実施例について説明する。
【００９２】
上記第１の実施例では、紙幣識別部４０２に左側紙幣挿入口４０２−Ａおよび右側紙幣挿入口４０２−Ｂを設け、それぞれに紙幣挿入センサを設置することで、いずれの遊技機３０１に対して紙幣が挿入されたのかを識別するよう構成したが、第２の実施例では、紙幣挿入口を左右で共通化し、左右に指示ボタンを具備することで遊技機３０１を制御するよう構成した実施形態を説明する。
【００９３】
図８は、第２の実施例で用いる遊技機３０１およびカード処理ユニット４０１の内部構成を示すブロック図である。
【００９４】
同図に示されるカード処理ユニット４０１は、第１の実施例を説明した上記図２に示されるカード処理ユニット４０１の構成に加えて左側指示ボタン４０９、右側指示ボタン４１０を具備して構成される。
【００９５】
左側指示ボタン４０９は、カード処理ユニット４０１の前面部に配設され、該カード処理ユニット４０１の左側に位置する遊技機３０１−１の遊技者が紙幣を挿入する際に、この左側指示ボタン４０９を押下することで、カード処理ユニット４０１は、挿入される紙幣が左側遊技機３０１−１のものと認識する。
【００９６】
右側指示ボタン４１０も上記左側指示ボタン４０９同様にカード処理ユニット４０１の前面部に配設され、右側遊技機３０１−２の遊技者により押下されることにより、カード処理ユニット４０１は、挿入される紙幣が右側遊技機３０１−２のものと認識する。
【００９７】
紙幣識別部４０２は、左右の遊技機３０１の遊技者に対して共通の紙幣挿入口を持ち、挿入された紙幣が左側遊技機３０１−１の遊技者若しくは右側遊技機３０１−２の遊技者いずれのものかを前述した左側指示ボタン４０９若しくは右側指示ボタン４１０の押下により判断する。
【００９８】
カード処理部４０３は、カードの出し入れを行わない固定式の左側内蔵カード４１１および右側内蔵カード４１２を具備しており、この内蔵カードには各々個別のカードＩＤが付与されている。
【００９９】
制御部４０６は、遊技者が左側指示ボタン４０９若しくは右側指示ボタン４１０を押下する前に、紙幣挿入口へ紙幣を挿入しようとした場合には、紙幣が挿入されないように制御し、左側指示ボタン４０９若しくは右側指示ボタン４１０のいずれかが押下された後に、紙幣が挿入されたならば、該紙幣を取り込むよう制御する。
【０１００】
メモリ４１３は、各種情報を一時的に記憶する機能を有し、左側および右側の遊技機３０１の識別情報（遊技機ＩＤ）に対応して、カード処理部（左側内蔵カード４１１および右側内蔵カード４１２）４０３の各内蔵カードの識別符号（カードＩＤ）と、各カードに関連付けられている残度数が記憶される。
【０１０１】
なお、上記に説明した以外のカード処理ユニット４０１および左側遊技機３０１−１および右側遊技機３０１−２の各種処理機能部に関しては、上記図２に示したものと同じ符号のものは略同様に動作するので、その説明は省略する。
【０１０２】
次に、図９を参照しながらカード処理ユニット４０１の外観を説明する。
【０１０３】
同図には、上記図８で説明したカード処理ユニット４０１の前面部の一例を示す外観が図示されており、紙幣識別部４０２、左側指示ボタン４０９、右側指示ボタン４１０を具備して構成される。また、このカード処理ユニット４０１の前面部には、状態表示ランプ、金額表示部、金額設定ボタン・・・などが配設されるが、本発明の要部ではないため説明は省略する。
【０１０４】
紙幣識別部４０２は、左右の遊技機３０１の遊技者に対して共通の紙幣挿入口を具備して構成されており、左側遊技機３０１−１の遊技者が紙幣を挿入する際には、左側指示ボタン４０９を押下し紙幣を紙幣挿入口から挿入する。また、右側遊技機３０１−２の遊技者が紙幣を挿入する際にも左側遊技機３０１−１の遊技者同様に、右側指示ボタン４１０を押下し紙幣を紙幣挿入口から挿入する。
【０１０５】
図１０は、図８に示したカード処理ユニット４０１における紙幣読取り処理の動作を説明するフローチャートである。なお、この処理は、遊技者がカード処理ユニット４０１に紙幣を挿入し、遊技を楽しむ場合のカード処理ユニット４０１における動作を説明するものである。
【０１０６】
カード処理ユニット４０１の前面部に配設される左側指示ボタン４０９若しくは右側指示ボタン４１０のいずれかが押下されると、この紙幣読取り処理は開始される（ステップＳ４０１）。カード処理ユニット４０１は、待機状態（指示ボタン押下以前）の間は、制御部４０６により紙幣挿入口から紙幣の挿入を受け付けないように制御し、指示ボタン押下に際して、紙幣挿入を受け付けるよう制御する。このように制御することにより、遊技者に混乱を生じさせないようにする。
【０１０７】
ここで、左右いずれかの指示ボタンが押下されると（ステップＳ４０１でＹＥＳ）、まず、左右いずれの指示ボタンが押下されたのかを判断する（ステップＳ４０２）。
【０１０８】
左側指示ボタン４０９が押下された場合は（ステップＳ４０２で左側）、紙幣挿入口情報に左側を設定し（ステップＳ４０３）、右側指示ボタン４１０が押下された場合は（ステップＳ４０２で右側）、紙幣挿入口情報に右側を設定する（ステップＳ４０４）。
【０１０９】
そして、紙幣が挿入されるのを所定の時間待つ（ステップＳ４０５）。例えば、所定の時間、遊技者に紙幣挿入を促すようにランプの点滅等を行う。また、所定の時間が経過しても紙幣が挿入されない場合には（ステップＳ４０５でＮＯ）、紙幣挿入口から紙幣を受け付けないよう制御し、再び指示ボタンの押下まで待機状態に入る（ステップＳ４０１）。
【０１１０】
ここで、１０００円札などの紙幣がカード処理ユニット４０１の紙幣挿入口に挿入されると（ステップＳ４０５でＹＥＳ）、挿入された紙幣のチェック処理を行う（ステップＳ４０６）。すなわち、偽札か否かのチェックおよび紙幣を正しく認識できるか等のチェックである。
【０１１１】
ここで、ステップＳ４０６の紙幣チェック処理にて、挿入された紙幣に何らかの異常があると判断した場合は（ステップＳ４０７でＹＥＳ）、紙幣を排出し（ステップＳ４０８）、遊技機３０１の前面部に設置される表示部３０５に、挿入された紙幣に異常がある旨を表示するなどして遊技者に報知する。
【０１１２】
また、紙幣に異常がない場合は（ステップＳ４０７でＮＯ）、該紙幣が挿入される際に、左側指示ボタン４０９若しくは、右側指示ボタン４１０のいずれが押下されたのかを判断する（ステップＳ４０９）。すなわち、上述した処理で設定された紙幣挿入口情報に基づいて制御部４０６が判断する（ステップＳ４０９）。
【０１１３】
左側指示ボタン４０９が押下された場合は（ステップＳ４０９で左側）、受信したカード情報を左側遊技機３０１−１と関連付けてメモリ４１３に記憶し（ステップＳ４１０）、左側遊技機３０１−１の表示部３０５−１にカード情報を表示する（ステップＳ４１１）。そして、左側遊技機３０１−１の玉投出機構３０４−１から自動で当該価値（全額）の貸玉投出を行うとともに（ステップＳ４１２）、メモリ４１３に左側遊技機３０１−１と関連付けられて記憶されたカード情報から前述の貸出単位分に相当する度数を減算し（ステップＳ４１３）、該減算されたカード情報をカード処理ユニット４０１の左側に位置する遊技機３０１の表示部３０５に更新表示する（ステップＳ４１４）。
【０１１４】
一方、右側指示ボタン４１０が押下された場合は（ステップＳ４０９で右側）、受信したカード情報を右側遊技機３０１−２と関連付けてメモリ４１３に記憶し（ステップＳ４１５）、右側遊技機３０１−２の表示部３０５−２にカード情報を表示する（ステップＳ４１６）。そして、右側遊技機３０１−２の玉投出機構３０４−２から自動で当該価値（全額）の貸玉投出を行うとともに（ステップＳ４１７）、メモリ４１３に右側遊技機３０１−２と関連付けられて記憶されたカード情報から前述の貸出単位分に相当する度数を減算し（ステップＳ４１８）、該減算されたカード情報をカード処理ユニット４０１の右側に位置する遊技機３０１の表示部３０５に更新表示する（ステップＳ４１９）。
【０１１５】
そして、カード処理ユニット４０１へ挿入された紙幣に相当する紙幣情報（度数情報）と、遊技機３０１にそれぞれ割り当てられた台番号などの遊技機識別情報と、内蔵カード各々に割り当てられた個別のカードＩＤを含む情報を島コントローラ２０１を介しターミナルコントローラ１０１へ送信する（ステップＳ４２０）。
【０１１６】
すなわち、ターミナルコントローラ１０１は、各遊技機３０１の売上げ情報を売上情報データベース１０２で管理しており、カード処理ユニット４０１は、売上げ情報を更新するために、ターミナルコントローラ１０１へ紙幣情報および遊技機識別情報を含む情報を送信する。また、ターミナルコントローラ１０１は、各内蔵カードに記録された識別データに対応する紙幣情報をカード情報データベース１０３で管理しており、カード処理ユニット４０１は、内蔵カードと対応する紙幣情報を更新するために、ターミナルコントローラ１０１へ内蔵カードＩＤおよび紙幣情報を含む情報を送信する。そして、この処理が終わると、この紙幣読取り処理は終了する。
【０１１７】
以上説明したように本実施例においては、左右の遊技機３０１の遊技者に対して共通の紙幣挿入口（紙幣識別部４０２）を設け、左側遊技機３０１−１の遊技者が紙幣を挿入する際に押下する左側指示ボタン４０９および右側遊技機３０１−２の遊技者が紙幣を挿入する際に押下する右側指示ボタン４１０を設置することで、左右共通の紙幣識別部４０２により左側遊技機３０１−１および右側遊技機３０１−２で遊技するために挿入される紙幣の読取り処理を行えるので、省スペースかつコスト削減を図ることが可能になる。
【０１１８】
また、カード処理ユニット４０１は、左側指示ボタン４０９若しくは右側指示ボタン４１０の押下により、いずれの遊技者が紙幣を挿入したのかを認識し、該認識により左右いずれの遊技機３０１の売上げかを分別し、ターミナルコントローラ１０１へ度数情報を送信する。このように制御することで、ターミナルコントローラ１０１においても、従来同様に個々の遊技機毎の売上げ情報等を正確に管理することができる。
【産業上の利用可能性】
【０１１９】
本発明の遊技媒体貸出処理装置および遊技媒体貸出システムは、１台の遊技媒体貸出処理装置で複数台の遊技機を制御するよう構成したので、省スペースかつコスト削減を図る場合に有効であり、特に、パチンコ台などを配設し遊技サービスを提供するパチンコホールで有効利用することができる。
【図面の簡単な説明】
【０１２０】
【図１】本発明に係わる遊技システムの全体構成を示すブロック図である。
【図２】遊技機３０１およびカード処理ユニット４０１の内部構成を示すブロック図である。
【図３】カード処理ユニット４０１の外観構成を示す図である。
【図４】カード処理ユニット４０１の要部の内部構成を示す水平断面図である。
【図５】カード処理ユニット４０１における紙幣読取り処理の動作を示すフローチャートである。
【図６】カード処理ユニット４０１におけるカード読取り処理の動作を示すフローチャートである。
【図７】カード処理ユニット４０１におけるカード返却処理の動作を説明するフローチャートである。
【図８】第２の実施例に係わる遊技機３０１およびカード処理ユニット４０１の内部構成を示すブロック図である。
【図９】第２の実施例に係わるカード処理ユニット４０１の外観構成を示す図である。
【図１０】第２の実施例に係わるカード処理ユニット４０１における紙幣読取り処理の動作を示すフローチャートである。
【符号の説明】
【０１２１】
１０１    ターミナルコントローラ
１０２    売上情報データベース
１０３    カード情報データベース
２０１    島コントローラ
３０１    遊技機
３０２    遊技機通信部
３０３    遊技機制御部
３０４    玉投出機構
３０５    表示部
３０６    操作部
４０１    カード処理ユニット
４０２    紙幣識別部
４０３    カード処理部
４０４    左側処理部
４０５    右側処理部
４０６    制御部
４０７    電源部
４０８    通信部
４０９    左側指示ボタン
４１０    右側指示ボタン
４１１    左側内蔵カード
４１２    右側内蔵カード
４１３    メモリ
５０１    島
【図１】
2006000211.tif 000003
【図２】
2006000211.tif 000004
【図３】
2006000211.tif 000005
【図４】
2006000211.tif 000006
【図５】
2006000211.tif 000007
【図６】
2006000211.tif 000008
【図７】
2006000211.tif 000009
【図８】
2006000211.tif 000010
【図９】
2006000211.tif 000011
【図１０】
2006000211.tif 000012